(57)【特許請求の範囲】
【請求項１】
第１直流電圧が入力される入力端子と、第２直流電圧を出力する出力端子と、前記入力端子と前記出力端子との間に接続されるスイッチング素子と、前記第２直流電圧の電圧値に応じて前記スイッチング素子のＯＮ／ＯＦＦを制御する制御部と、を備えるとともに、前記スイッチング素子のＯＮ／ＯＦＦタイミングを前記制御部で制御することで通信機器に供給される前記第２直流電源電圧を安定化させる電源用デバイスにおいて、
電源用デバイスのＯＮ／ＯＦＦの制御を行うＯＮ／ＯＦＦ制御部と、
通信ラインに接続されて通信用入力信号が入力されるゲートと前記ＯＮ／ＯＦＦ制御部に接続されたアノードと接地されたカソードとを備えるサイリスタ素子によって構成され、前記通信用入力信号を検出するとともに、該通信用入力信号を検出したときに前記ＯＮ／ＯＦＦ制御部を動作させることにより電源用デバイスをＯＮの状態にする通信用入力信号検出部と、
を有することを特徴とする電源用デバイス。
【請求項２】
第１直流電圧が入力される入力端子と、第２直流電圧を出力する出力端子と、前記入力端子と前記出力端子との間に接続されるスイッチング素子と、前記第２直流電圧の電圧値に応じて前記スイッチング素子のＯＮ／ＯＦＦを制御する制御部と、を備えるとともに、前記スイッチング素子のＯＮ／ＯＦＦタイミングを前記制御部で制御することで通信機器に供給される前記第２直流電源電圧を安定化させる電源用デバイスにおいて、
電源用デバイスのＯＮ／ＯＦＦの制御を行うＯＮ／ＯＦＦ制御部と、
発光素子と該発光素子からの光を受光してＯＮ状態を維持するサイリスタ部とを備えたフォトサイリスタによって構成されるとともに、通信用入力信号を検出するとともに、該通信用入力信号を検出したときに前記ＯＮ／ＯＦＦ制御部を動作させることにより電源用デバイスをＯＮの状態にする通信用入力信号検出部と、
を有し、
前記発光素子が通信用ラインに接続されるとともに、
前記サイリスタ部の一端が前記ＯＮ／ＯＦＦ制御部に接続され、他端が接地され、
前記通信用ラインに通信用入力信号が到来したとき、前記フォトサイリスタによってＯＮ／ＯＦＦ制御部が動作することを特徴とする電源用デバイス。
【請求項３】
前記サイリスタ部が、
前記発光素子からの光を受光する受光素子と、
該受光素子のアノードに接続されるとともに前記ＯＮ／ＯＦＦ制御部に接続されるアノードと、該受光素子のカソードに接続されるゲートと、接地されたカソードと、を備えるサイリスタ素子と、
を有することを特徴とする請求項２に記載の電源用デバイス。
【請求項４】
前記入力端子に一端が接続される抵抗を備えるとともに、
該抵抗の他端に前記サイリスタ素子又は前記サイリスタ部が接続されることで、前記通信用入力信号検出部より前記ＯＮ／ＯＦＦ制御部に電圧信号が与えられることを特徴とする請求項１〜３のいずれかに記載の電源用デバイス。
【請求項５】
前記ＯＮ／ＯＦＦ制御部、及び通信用入力信号検出部が、１つの半導体集積回路装置内に形成されることを特徴とする請求項１〜４のいずれかに記載の電源用デバイス。
【請求項６】
前記通信用入力信号検出部が、通信用入力信号に使用されるパルス波を検出することを特徴とする請求項１〜５のいずれかに記載の電源用デバイス。
【請求項７】
前記パルス波が電話回線の受信を知らせる呼出信号であることを特徴とする請求項６に記載の電源用デバイス。
【請求項８】
前記パルス波が、電話機もしくはファクシミリ装置をオンフックにした発信ダイヤル待機状態に発信する信号であることを特徴とする請求項６に記載の電源用デバイス。
【請求項９】
請求項１〜８のいずれかに記載の電源用デバイスが設けられたことを特徴とする通信機器。
【発明の詳細な説明】
【０００１】
【発明の属する技術分野】
本発明は、電話機やファクシミリ装置等の通信機器に内蔵されている各機能部への電源供給手段となる電源用デバイスに関するもので、特に、外部からの信号待機時における消費電力を最小限に抑えるための電源用デバイスに関する。
【０００２】
【従来の技術】
近年、通信機器に時計やメモリ機能などが付随され、その多機能化はめざましいものがある。このように、通信機器が多機能化するにつれ、通信動作を行っていないときに消費される電力（以下、待機時消費電力と呼ぶ。）も大きくなっている。よって、このような待機時消費電力を減少する方法として、利用者にとって利用価値の高い必要最小限の機能だけを動作させるとともに、それ以外の機能を停止させるような通信機器として、図７のような電源用デバイスが設けられた通信機器が使用されている。
【０００３】
図７に示される電源用デバイス１００は、直流電圧である入力電圧が印加される入力電圧端子Ｖｉ、直流電圧となる出力電圧がかかる出力電圧端子Ｖｏ、グランド電位に接地される端子ＧＮＤ、及び電源用デバイス１００をＯＮ／ＯＦＦさせるためのＯＮ／ＯＦＦ信号が入力される端子１０１を有するシリーズレギュレータである。尚、ＯＮ／ＯＦＦ信号は、電源用デバイス１００をＯＮの状態にする時はＬｏｗ、ＯＦＦの状態にする時はＨｉの信号となる。
【０００４】
又、この電源用デバイス１００は、端子Ｖｉにエミッタが接続されるとともに端子Ｖｏにコレクタが接続されるＰＮＰ型トランジスタＴｒと、端子Ｖｏ，ＧＮＤ間に直列に接続された抵抗Ｒ１，Ｒ２と、基準電圧Ｖｒｅｆを出力する基準電圧部２と、トランジスタＴｒのベースに信号を送出してトランジスタＴｒに流れるコレクタ電流を調整する制御部３と、抵抗Ｒ１，Ｒ２の接続ノードの電圧Ｖと基準電圧Ｖｒｅｆを比較した結果を制御部３に送出する比較部４と、電源用デバイス１００に過電圧が印加されたときに電源用デバイス１００を保護する保護部５と、制御部３のＯＮ／ＯＦＦを制御するＯＮ／ＯＦＦ制御部６とを有する。
【０００５】
更に、このような電源用デバイス１００を有する通信機器は、図８のように、電源用デバイス１００に電力を供給する主電源１０２と、主電源１０２より電力が供給されるとともに送受信動作を行うときの信号を電話線より検出し電源用デバイスにＯＮ／ＯＦＦ信号を出力する信号検出電源制御部１０３と、送受信動作を始めとする様々な動作を行う負荷１０４とが設けられる。
【０００６】
又、このような通信機器以外にも、特開平５−１６０８６７号公報、特開平５−１６０９３１号公報などで提案されているような通信機器がある。これらの通信機器は、それぞれ、通信動作を行っていない待機時に、外部より信号が送信されていないか否かを検出する機能以外の機能は停止させることによって、その待機時消費電力を抑制している。
【０００７】
【発明が解決しようとする課題】
しかしながら、図８に示す通信機器は、通信機器が待機状態であるときに電話線を通して信号が送られてきたとき、電話線からの信号を一旦信号検出電源制御部１０３で検出した後、ＯＦＦの状態にあった電源用デバイス１００をＯＮの状態にするためのＯＮ／ＯＦＦ信号を信号検出電源制御部１０３より電源用デバイス１００に与える必要がある。そのため、通信機器が待機時にあっても、信号検出電源制御部１０３に常に主電源１０２から電力供給を行う必要がある。
【０００８】
又、特開平５−１６０８６７号公報における通信制御装置については、外部から送信される信号を検出する着信検出手段は、待機時に信号を着信したことを検知するとともに、通信制御部のＯＮ／ＯＦＦを行う電源制御手段に信号を与えるために、待機時にも着信検出手段に電力を供給する必要がある。
【０００９】
又、特開平５−１６０９３１号公報におけるＧ４ファクシミリ装置については、その待機時においても、主制御部が着信通知としての呼設定メッセージを着信したことを認識する必要があるために、回路制御部が呼設定メッセージを着信するように回路制御部に電力を供給する必要がある。
【００１０】
このように、図８に代表される上記の通信機器は、待機時においても、通信用の信号を検出するための制御機能を動作させる必要があるので、そのために電力がわずかであるが消費される。このような待機時消費電力はファクシミリ装置など、待機時間の長い通信機器においては、時間的に積算されるために、その消費電力の増大は無視できない。又、外部からの信号を着信したことを判断するとともに受信動作を行うための機能に信号を与えるための制御機能を必要とするため、上記のような通信機器における電源用デバイスに用いられるスペースが増大する。
【００１１】
【課題を解決するための手段】
請求項１に記載の電源用デバイスは、第１直流電圧が入力される入力端子と、第２直流電圧を出力する出力端子と、前記入力端子と前記出力端子との間に接続されるスイッチング素子と、前記第２直流電圧の電圧値に応じて前記スイッチング素子のＯＮ／ＯＦＦを制御する制御部と、を備えるとともに、前記スイッチング素子のＯＮ／ＯＦＦタイミングを前記制御部で制御することで通信機器に供給される前記第２直流電源電圧を安定化させる電源用デバイスにおいて、電源用デバイスのＯＮ／ＯＦＦの制御を行うＯＮ／ＯＦＦ制御部と、通信ラインに接続されて通信用入力信号が入力されるゲートと前記ＯＮ／ＯＦＦ制御部に接続されたアノードと接地されたカソードとを備えるサイリスタ素子によって構成され、前記通信用入力信号を検出するとともに、該通信用入力信号を検出したときに前記ＯＮ／ＯＦＦ制御部を動作させることにより電源用デバイスをＯＮの状態にする通信用入力信号検出部と、を有することを特徴とする。
【００１２】
請求項２に記載の電源用デバイスは、第１直流電圧が入力される入力端子と、第２直流電圧を出力する出力端子と、前記入力端子と前記出力端子との間に接続されるスイッチング素子と、前記第２直流電圧の電圧値に応じて前記スイッチング素子のＯＮ／ＯＦＦを制御する制御部と、を備えるとともに、前記スイッチング素子のＯＮ／ＯＦＦタイミングを前記制御部で制御することで通信機器に供給される前記第２直流電源電圧を安定化させる電源用デバイスにおいて、電源用デバイスのＯＮ／ＯＦＦの制御を行うＯＮ／ＯＦＦ制御部と、発光素子と該発光素子からの光を受光してＯＮ状態を維持するサイリスタ部とを備えたフォトサイリスタによって構成されるとともに、通信用入力信号を検出するとともに、該通信用入力信号を検出したときに前記ＯＮ／ＯＦＦ制御部を動作させることにより電源用デバイスをＯＮの状態にする通信用入力信号検出部と、を有し、前記発光素子が通信用ラインに接続されるとともに、前記サイリスタ部の一端が前記ＯＮ／ＯＦＦ制御部に接続され、他端が接地され、前記通信用ラインに通信用入力信号が到来したとき、前記フォトサイリスタによってＯＮ／ＯＦＦ制御部が動作することを特徴とする。
【００１３】
請求項３に記載の電源用デバイスは、請求項２に記載の電源用デバイスにおいて、前記サイリスタ部が、前記発光素子からの光を受光する受光素子と、該受光素子のアノードに接続されるとともに前記ＯＮ／ＯＦＦ制御部に接続されるアノードと、該受光素子のカソードに接続されるゲートと、接地されたカソードと、を備えるサイリスタ素子と、
を有することを特徴とする。
【００１４】
請求項４に記載の電源用デバイスは、請求項１〜３のいずれかに記載の電源用デバイスにおいて、前記入力端子に一端が接続される抵抗を備えるとともに、該抵抗の他端に前記サイリスタ素子又は前記サイリスタ部が接続されることで、前記通信用入力信号検出部より前記ＯＮ／ＯＦＦ制御部に電圧信号が与えられることを特徴とする。
【００１５】
請求項５に記載の電源用デバイスは、請求項１〜４に記載のいずれかに記載の電源用デバイスにおいて、前記ＯＮ／ＯＦＦ制御部、及び通信用入力信号検出部が、１つの半導体集積回路装置内に形成されることを特徴とする。このように、前記通信用入力信号検出部を含む電源用デバイスを１つの半導体集積回路装置内に形成するので、該電源用デバイスを使用する通信機器内における省スペース化を図ることができる。
【００１６】
請求項６に記載の電源用デバイスは、請求項１〜５に記載のいずれかに記載の電源用デバイスにおいて、前記通信用入力信号検出部が、通信用入力信号に使用されるパルス波を検出することを特徴とする。
【００１７】
請求項７に記載の電源用デバイスは、請求項６に記載の電源用デバイスにおいて、前記パルス波が電話回線の受信を知らせる呼出信号であることを特徴とする。このように、交換機から電話線を介して送信される呼出信号を検知して、電源用デバイスをＯＮの状態にすることができるので、送信者からの送信信号を受信するときにのみ必要な機能を受信動作を行うときだけに動作させることができる。
【００１８】
請求項８に記載の電源用デバイスは、請求項６に記載の電源用デバイスにおいて、前記パルス波が、電話機もしくはファクシミリ装置をオンフックにした発信ダイヤル待機状態に発信する信号であることを特徴とする。このように、交換機から電話線を介して送信されるダイヤル待機状態の信号を検知して、電源用デバイスをＯＮの状態にすることができるので、送信動作を行うときにのみ必要な機能を送信動作を行うときだけに動作させることができる。
【００１９】
請求項９に記載の通信機器は、請求項１〜８のいずれかに記載の電源用デバイスが設けられたことを特徴とする。
【００２０】
【発明の実施の形態】
本発明の第１の実施形態について、図面を参照して説明する。図１は、本実施形態に使用する電源用デバイスの内部構造を示すブロック図である。尚、図１の電源用デバイス１において、図７における電源用デバイス１００内の部品と同様の目的で使用される部品については、同じ記号を付してその詳細な説明は省略する。
【００２１】
図１に示す電源用デバイス１は、電話線と接続して通信機器が送受信するときに発生するパルス波の信号が入力される端子７と、端子７から入力された信号を検出するとともにＯＮ／ＯＦＦ制御部６にＯＮ／ＯＦＦ信号を送出するパルス波検出部８とを有する。まず、通信機器が送受信する際に発生するパルス波について、図２を用いて、説明する。尚、本実施形態における通信機器は、電話機もしくはファクシミリ装置等の電話線を介して通信を行う通信機器である。
【００２２】
送信者２１が通信機器をオンフックの状態にして発信動作を通信機器に行わせようとしたとき、通信機器内で形成されていた直流ループが閉成され通信機器から交換機２２に発信動作を行うことを知らせる。その後、交換機２２より送信者２１に送信先のダイヤル数字を受ける準備ができたことを知らせるための４００Ｈｚの可聴音となる発呼信号を送出する。このように発呼信号が送出されると、送信者２１がその送信先となる受信者２４のダイヤル数字をダイヤルし、該ダイヤル数字が交換機２２に送出される。次に、ダイヤル数字が交換機２２に送出されると、交換機２２はそのダイヤル数字の受信者２４側の交換機となる交換機２３に選択信号を送出する。
【００２３】
選択信号を受けた交換機２３は、受信者２４に１６Ｈｚの交流信号である呼出信号を送出するとともに、受信者２４を呼出中であることを示すために、交換機２２を介して、前記４００Ｈｚの発呼信号を１６Ｈｚで変調した音となる信号を送出する。受信者２４が応答を行ったとき、交換機２３より交換機２２に応答信号が送出され、送信者２１と受信者２４との間で通話が行われる。その後、通話が終了し受話器が置かれるなどしたとき、終話したことを知らせるために終話した側の交換機がもう一方の交換機へ終話信号を送出する。そして、終話していない側が通話路を切断し、通話路が切断されたことを知らせるための信号が切断した側の交換機がもう一方の交換機へ切断信号を送出する。最後に、終話した側の交換機が、もう一方の交換機に復旧完了信号を送信して通信が終了する。
【００２４】
このように様々な信号が送信者２１と受信者２４との間で送受信されている。これらの信号のうち４００Ｈｚの発呼信号と１６Ｈｚの呼出信号が電源用デバイス１の端子７に入力されることによって、電源用デバイス１が動作を行う。この電源用デバイス１の動作について、図１及び図３を使用して説明する。
【００２５】
通信機器が待機状態にあるとき、電源用デバイス１は、通常、動作していないものとする。このような状態の通信機器において、交換機より前記呼出信号が送出されたとき、電話線に接続された端子７に前記呼出信号が入力される（ステップ１）と、パルス波検出部８で呼出信号を検出する（ステップ４）。パルス波検出部８で呼出信号を検出すると、ＯＮ／ＯＦＦ信号をＨｉからＬｏｗに切り換えてＯＮ／ＯＦＦ制御部６に送出し、ＯＮ／ＯＦＦ制御部６を動作させて制御部３をＯＮにすることにより電源用デバイス１をＯＮの状態にする（ステップ５）。その後、電源用デバイス１をＯＮにすることによって、主電源（不図示）より電源用デバイス１を介して通信機器本体（不図示）に電力を供給し、通話もしくは通信を行う（ステップ６）。
【００２６】
終話して、電話回線に形成される閉ループが解除され（ステップ７）、一定時間に信号が入力されないことをパルス波検出部８で確認する（ステップ８）。最後に、ＯＮ／ＯＦＦ制御部６にＨｉのＯＮ／ＯＦＦ信号が送出されるとともに、ＯＮ／ＯＦＦ制御部６によって制御部３がＯＦＦにされ、電源用デバイス１をＯＦＦの状態にする（ステップ９）。
【００２７】
又、前記通信機器より送信動作を行うときは、まず、通信機器がオンフックの状態にされる（ステップ２）。このように通信機器がオンフックの状態となったとき、交換機より前記発呼信号が端子７に入力される（ステップ３）。次に、この発呼信号をパルス波検出部８で検出する（ステップ４）。ステップ４以降の動作については、上述した動作と同様である。尚、本実施形態におけるパルス波検出部８は、前記呼出信号及び前記発呼信号等のパルス波を検知することによって、ＯＮ／ＯＦＦ制御部６にＯＮ／ＯＦＦ信号を送出するような論理集積回路によって構成される。
【００２８】
本発明の第２の実施形態について、図面を参照して説明する。図４は、本実施形態に使用する電源用デバイスの内部構造を示すブロック図である。尚、図４の電源用デバイス１’において、図７における電源用デバイス１００内の部品と同様の目的で使用される部品については、同じ記号を付してその詳細な説明は省略する。
【００２９】
図４に示す電源用デバイス１’は、端子１０１にアノードが接続されるとともに端子ＧＮＤにカソードが接続されたサイリスタ９と、入力端子Ｖｉと端子１０１との間に接続された抵抗Ｒ３とを有し、該サイリスタ９のゲートは、前記呼出信号及び前記発呼信号が入力されるように電話回線に接続されている。このような電源用デバイス１’において、サイリスタ９は、所定の電圧以上の電圧（以下、ブレークオーバー電圧とする。）がゲートにかかると導通状態になる。よって、呼出信号及び発呼信号が一旦入力されると、その後どのような波形の信号がサイリスタ９のゲートに入力されても、サイリスタ９は導通状態であるので、ＯＮ／ＯＦＦ制御部６にＬｏｗのＯＮ／ＯＦＦ信号が入力された状態となり、ＯＮ／ＯＦＦ制御部６を動作させることができる。又、端子１０１は、サイリスタ９が非導通の状態にあるときは抵抗Ｒ３を介して端子Ｖｉにかかる電圧がかかるため、このときＯＮ／ＯＦＦ制御部６にはＨｉの信号が入力されるので、電源用デバイス１’はＯＦＦの状態となっている。
【００３０】
更に、このような電源用デバイス１’の端子１０１とサイリスタ９のアノードの間にスイッチＳＷを接続する。該スイッチＳＷは、図６のようなファクシミリ装置５０本体の主制御部５６によって制御され、主制御部５６が送受信動作が終了したことを検知すると、電源用デバイス１’をＯＦＦの状態にするために、スイッチＳＷをＯＦＦにする。こうすることによってサイリスタ９が非導通の状態となる。又、スイッチＳＷは、電源用デバイス１’が停止すると再びＯＮの状態に戻る。このように、スイッチＳＷは、サイリスタ１３の導通状態を解除するためのスイッチで、通常は接点が接続された状態にある。
【００３１】
本発明の第３の実施形態について、図面を参照して説明する。図５は、本実施形態に使用する電源用デバイスの内部構造を示すブロック図である。尚、図５の電源用デバイス１''において、図４における電源用デバイス１’内の部品と同様の目的で使用される部品については、同じ記号を付してその詳細な説明は省略する。
【００３２】
図５に示す電源用デバイス１''は、第２の実施形態で使用したサイリスタ９の代わりに、フォトサイリスタ１０を使用する。該フォトサイリスタ１０は、発光素子１１、受光素子１２及びサイリスタ１３より構成され、発光素子１１が発する光を受光素子１２が受けることによって該受光素子１２が導通し、更に、受光素子１２が導通することによって、ゲートにブレークオーバー電圧がかかりサイリスタ１３が導通する。このサイリスタ１３が一旦導通すると、発光素子１１が発光動作を行わなくてもサイリスタ１３は導通した状態となる。このようなフォトサイリスタ１０の発光素子１１を電話線に接続するとともに、受光素子１２のアノードを抵抗Ｒ４を介して端子１０１に接続し、更に、アノードが端子１０１に、カソードが端子ＧＮＤに接続されたサイリスタ１３のゲートに、受光素子１２のカソードを接続する。
【００３３】
このようにフォトサイリスタ１０を接続することによって、前記発呼信号又は前記呼出信号が電話線に流れたとき、そのパルス波に合わせて発光素子１１が発光し、受光素子１２が導通する。このように受光素子１２が導通することによって、サイリスタ１３が導通し、第２の実施形態と同様にＯＮ／ＯＦＦ制御部６にＬｏｗのＯＮ／ＯＦＦ信号が入力され、電源用デバイス１''が動作を行う。又、端子１０１は、サイリスタ１３が非導通の状態にあるときは抵抗Ｒ３を介して端子Ｖｉにかかる電圧がかかるため、このときＯＮ／ＯＦＦ制御部６にはＨｉの信号が入力されるので、電源用デバイス１''はＯＦＦの状態となっている。
【００３４】
更に、このような電源用デバイス１''の端子１０１とサイリスタ１３のアノードの間にスイッチＳＷを、第２の実施形態と同様に接続する。該スイッチＳＷは、図６のようなファクシミリ装置５０本体の主制御部５６によって制御され、主制御部５６が送受信動作が終了したことを検知すると、電源用デバイス１''をＯＦＦの状態にするために、スイッチＳＷをＯＦＦにする。こうすることによってサイリスタ１３が非導通の状態となる。又、スイッチＳＷは、電源用デバイス１''が停止すると再びＯＮの状態に戻る。このように、スイッチＳＷは、サイリスタ１３の導通状態を解除するためのスイッチで、通常は接点が接続された状態にある。
【００３５】
尚、第１〜第３の実施形態で使用する電源用デバイス１，１’，１''は、１チップの半導体集積回路装置で構成されるような電源用デバイスにする事によって、通信機器において該電源用デバイスに要するスペースを狭くすることができる。
【００３６】
第４の実施形態として、第１〜第３の実施形態で説明した電源用デバイスのうちいずれかの電源用デバイスを使用したファクシミリ装置について、図面を参照して説明する。以下、ファクシミリ装置をＦＡＸとする。図６は、本実施形態で使用するＦＡＸの内部構造を示すブロック図である。尚、図６における実線は電源ラインを、点線は電話回線を、矢印は制御信号用のラインを表す。
【００３７】
図６に示されるＦＡＸ５０は、第１〜第３のいずれかの実施形態における電源用デバイスと同様の構成をした電源用デバイス５２と、該電源用デバイス５２を介して主電源５１より電力が供給される印刷部５７及び画像読取部５８と、電話回線との回線接続を制御する回線制御部５３と、液晶などの表示部（不図示）に時刻や相手先電話番号などの表示を行うための表示制御部５４と、制御プログラムなどを格納したメモリ部５５と、ＦＡＸ５０全体を制御する主制御部５６とを有する。
【００３８】
このようなＦＡＸ５０が送信相手先から送信信号が送信されて受信動作を行うとき、第１〜第３の実施形態のようにして、交換機より電話回線を介して送信される呼出信号を電源用デバイス５２が検知することによって、電源用デバイス５２がＯＮの状態になる。このとき、主制御部５６が電源用デバイス５２がＯＮの状態になったこと検知して、回線制御部５３に電話回線と接続するための信号が主制御部５６より送出される。回線制御部５３により、ＦＡＸ５０が電話回線と接続されると、呼出信号が入力されることを確認し、印刷部５７と電源用デバイス５２とを接続して、印刷部５７に電力を供給する。
【００３９】
ＦＡＸ５０に相手側の送信が終了し電話回線から入力される通信用信号が所定の時間の間途絶えていることを回線制御部５３で検知すると、ＦＡＸ５０は受信動作を終了し、第１〜第３の実施形態のように電源用デバイス５２を動作させ、電源用デバイス５２をＯＦＦの状態にする。よって、印刷部５７と主電源５１との間の電源ラインが切断される。又、このとき、回線制御部５３によってＦＡＸ５０と電話回線とが切断される。
【００４０】
又、ＦＡＸ５０が送信動作を行うとき、交換機より電話回線を介して送信される発呼信号を電源用デバイス５２が検知することによって、電源用デバイス５２がＯＮの状態になる。このとき、主制御部５６が電源用デバイス５２がＯＮの状態になったこと検知して、回線制御部５３に電話回線と接続するための信号が主制御部５６より送出される。回線制御部５３により、ＦＡＸ５０が電話回線と接続されると、発呼信号が入力されることを確認し、画像読取部５８と電源用デバイス５２とを接続して、画像読取部５８に電力を供給する。
【００４１】
ＦＡＸ５０からの送信動作が終了すると、電話回線を通して送信先から受信動作を終了したことを示す終了信号が入力され、この終了信号を回線制御部５３で検知することによって、第１〜第３の実施形態のように電源用デバイス５２を動作させ、電源用デバイス５２をＯＦＦの状態にする。よって、画像読取部５８と主電源５１との間の電源ラインが切断される。又、このとき、回線制御部５３によってＦＡＸ５０と電話回線とが切断される。
【００４２】
【発明の効果】
請求項１に記載の電源用デバイスによると、電源用デバイス外に、通信機器が待機時であっても通信機器の送受信動作を検知して電源デバイス内のＯＮ／ＯＦＦ制御部に信号を与えるために電力供給を要する回路を設ける必要がないので、この電源デバイスを使用した通信機器の省電力化を図ることができる。
【００４３】
請求項２に記載の電源用デバイスによると、通信用入力信号検出部にフォトサイリスタを用いているので、電源用デバイスと通信用のラインが電気的に絶縁された状態となるので、電源用デバイスと通信用のラインとが相互に電気的に干渉することを防止することができる。
【００４４】
請求項５に記載の電源用デバイスによると、前記通信用入力信号検出部を含む電源用デバイスを１つの半導体集積回路装置内に形成するので、該電源用デバイスを制御する回路を別に設ける必要がないため、該電源用デバイスを使用する通信機器内における省スペース化を図ることができる。
【００４５】
請求項７に記載の電源用デバイスによると、交換機から電話線を介して送信される呼出信号を検知して、電源用デバイスをＯＮの状態にすることができるので、送信者からの送信信号を受信するときにのみ必要な機能を受信動作を行うときだけに動作させることができる。又、受信動作を行う機能を、通信機器が受信するときのみに動作させることができるので、省電力化を図ることができる。
【００４６】
請求項８に記載の電源用デバイスによると、交換機から電話線を介して送信されるダイヤル待機状態の信号を検知して、電源用デバイスをＯＮの状態にすることができるので、送信動作を行うときにのみ必要な機能を送信動作を行うときだけに動作させることができる。又、送信動作を行う機能を、通信機器が送信するときのみに動作させることができるので、省電力化を図ることができる。
【図面の簡単な説明】
【図１】第１の実施形態で使用する電源用デバイスの内部構造を示すブロック図。
【図２】電話回線における基本的な信号の流れ。
【図３】図１に示す電源用デバイスの動作を示すフローチャート。
【図４】第２の実施形態で使用する電源用デバイスの内部構造を示すブロック図。
【図５】第３の実施形態で使用する電源用デバイスの内部構造を示すブロック図。
【図６】第４の実施形態で使用するファクシミリ装置の内部構造を示すブロック図。
【図７】従来の電源用デバイスの内部構造を示すブロック図。
【図８】従来の電源用デバイスを使用した通信機器の内部構造を示すブロック図。
【符号の説明】
１    電源用デバイス
２    基準電圧部
３    制御部
４    比較部
５    保護部
６    ＯＮ／ＯＦＦ制御部
７    端子
８    パルス波検出部
９    サイリスタ
１０    フォトサイリスタ
１１    発光素子
１２    受光素子
１３    サイリスタ
２１    送信者
２２，２３    交換機
２４    受信者
５０    ファクシミリ装置（ＦＡＸ）
５１    主電源
５２    電源用デバイス
５３    回線制御部
５４    表示制御部
５５    メモリ
５６    主制御部
５７    印刷部
５８    画像読取部
１００    電源用デバイス
１０１    端子
１０２    主電源
１０３    信号検出電源制御部
１０４    負荷
【図１】
0003664905.tif 000002
【図２】
0003664905.tif 000003
【図３】
0003664905.tif 000004
【図４】
0003664905.tif 000005
【図５】
0003664905.tif 000006
【図６】
0003664905.tif 000007
【図７】
0003664905.tif 000008
【図８】
0003664905.tif 000009